(57)【特許請求の範囲】
【請求項１】
複数本のウッドゴルフクラブから成るウッドゴルフクラブセットにおいて、
前記複数本のウッドゴルフクラブの各番手間のトウダウン量比を、ゴルファーの回転角速度と腕の長さを一定とする条件下で、０．９〜１．１に設定したウッドゴルフクラブセット。
【請求項２】
前記ウッドゴルフクラブは、少なくとも１番手，３番手，４番手，５番手である請求項１に記載のウッドゴルフクラブセット。
【発明の詳細な説明】
【０００１】
【発明の属する技術分野】
この発明は、ウッドゴルフクラブセットに係わり、更に詳しくは常に安定した方向性を得ることが出来るウッドゴルフクラブセットに関するものである。
【０００２】
【従来の技術】
従来、ウッドゴルフクラブをセットで販売しているものを購入しても、その各クラブが持っているトウダウン特性はまちまちである。従って、同一プレーヤーが同じスタンスでスウィングすると、その現象として、例えば、＃１ウッド（ドライバー）でスウィングしたときと、＃３ウッド（スプーン）でスウィングしたときとでは、クラブフェース面でボールを捉える位置がまちまちであった。
【０００３】
その結果、ボールの弾道は左右にバラツキが大きくなり、また理想のポイントでヒットしないときには、目的とする飛距離を損なうと言うウッドゴルフクラブにとって致命的な欠点を生じていた。
なお、ここで同一スタンスとは、アドレス時にクラブフェース面の相似的同一部分でボールの位置合わせをすることを言う。
【０００４】
このトウダウン現象とは、ティーアップしたゴルフボールの中心に対して、クラブヘッドのフェース面中心を位置合わせし、次いでゴルフクラブをスウィングした時にクラブヘッドにかかる遠心力と重力との作用からクラブシャフトが撓んで、クラブヘッドのフェース面中心が、ゴルフボールの中心に対して内側に移動する現象であり、その当初の中心からの移動量をトウダウン量と言う。
【０００５】
【発明が解決しようとする課題】
従って、ユーザーが購入した従来のウッドゴルフクラブセットは、その各番手が持っている、所謂トウダウン量はまちまちである。このため、例え同一セット内でも番手が違うゴルフクラブを同じスタンスでスウィングすると、トウダウン現象のためクラブフェースでボールを捉える位置が異なる結果、ボールの飛ぶ方向性が違ったものとなった。
【０００６】
同一のセットのウッドゴルフクラブを選定しても、必ずしも同じ方向へ打球が飛ぶとは限らず、各番手のゴルフクラブに慣れるまでには、それぞれのゴルフクラブ番手のトウダウン量を把握して練習する必要があり、相当の期間を費やすことにならざるを得ない。
この発明の目的は、複数本のウッドゴルフクラブセットの各番手間のトウダウン量を略一定に設定しておくことで、ユーザーがどの番手のウッドゴルフクラブを選定する場合にも、トウダウン量が同一のものを所有することになり、ゴルフクラブをスウィングする際に番手間の違和感が小さく、しかも番手違いのウッドゴルフクラブであってもスタンスを同じにしてスウィングすることが出来、安定した方向性を常に得ることが出来るウッドゴルフクラブセットを提供することにある。
【０００７】
【課題を解決するための手段】
この発明は上記目的を達成するため、複数本のウッドゴルフクラブから成るウッドゴルフクラブセットにおいて、前記複数本のウッドゴルフクラブの各番手間のトウダウン量比を、ゴルファーの回転角速度と腕の長さを一定とする条件下で、０．９〜１．１に設定したことを要旨とするものである。
前記ウッドゴルフクラブは、少なくとも１番手，３番手，４番手，５番手であり、また各番手間のトウダウン量比を、０．９〜１．１に設定するものである。
【０００８】
ここで、トウダウン量比（λij＝δi ／δj ）とは、同一ヘッドスピードの各番手のゴルフクラブをスウィングした時にクラブシャフトが撓んでクラブヘッドがプレーヤー側に引き寄せられた時の各番手間の移動距離の比を言う。
上記のように複数本の異種クラブ番手を統一が取れるように組合せて成るウッドゴルフクラブセットで、各番手のトウダウン量比を略一定に設定することで、ゴルフクラブをスウィングする際にも番手間の違和感が小さく、しかも番手違いのウッドゴルフクラブであってもスタンスを同じにしてスウィングすることが出来、安定した方向性を常に得ることが出来るものである。
【０００９】
【発明の実施の形態】
この発明において、「等価トウダウン量」δeqとは、次のようにして計算されるもで力学的に詳述すると、以下のようになる。
即ち、図２のウッドゴルフクラブを参照して説明すると、ゴルフクラブを振ることによる遠心力（Ｆ）は、以下のように表わされる。
【００１０】
なお、以下の式における記号は、下記の意味を有するものである。
ω：各ゴルファー固有の回転角速度
ｅ：シャフト軸線からのヘッド重心距離
ｒ：クラブ長さ
ｒ0 ：プレーヤーの腕の長さ
ｍ：ヘッド質量
Ｆ：ゴルフクラブを振ることによる遠心力
Ｍ：モーメント（Ｍ）
（ＥＩ）eq：シャフト等価曲げ剛性
Ｆ＝ｍＲω2 （但し、Ｒ＝ｒ＋ｒ0 ）・・・（１）
この遠心力（Ｆ）と、ｅ（シャフト軸線からのヘッド重心距離）とにより、モーメント（Ｍ）が生ずる。
【００１１】
Ｍ＝ｅＦ＝ｅｍＲω2   ・・・・・・・・・（２）
このモーメント（Ｍ）によってシャフトは曲げ変形を受けて撓む。この量を等価トウダウン量δeqとすると、以下のようになる。
【００１２】
【数１】
0004043071.tif 000002
【００１３】
然し、上記の式において、シャフトの曲げ剛性（EI）は、シャフト全長にわたる剛性分布の積分値を用いるのが良いが、ここではゴルフ業界で用いられる周知の３点曲げによる曲げ剛性（ＥＩ）eqを用いる。
【００１４】
またここで、３点曲げとは、スパン８００mmでシャフト単体をチップ先端から６５０mmの位置を加圧し、圧接子が５０mm変位したときの反力を測定した値を使用した。
このような現象の結果、実際にティーアップしたゴルフボールＱの中心に対して、クラブヘッド１のフェース面３の中心Ｐ（一般にスイートスポット）の位置は、アドレス位置よりプレーヤー側に所定距離Ｌ（一般に５mm〜３０mm程度）だけずれることになり、ティーアップしたゴルフボールＱの中心に対して、クラブヘッド１のフェース面３の中心Ｐは、トウ側にはずれて打球することになる。
【００１５】
このため、ゴルフボールＱの弾き出す方向が定まらず、プレーヤーが狙った目標方向に飛ばなかったり、また不安定となる現象が生じていた。
また、上記のトウダウン現象により、ゴルフボールＱを打球する位置が外れた場合には、クラブヘッド１の最大の反発特性が得られず、飛距離を損なう確率も増大すると言う問題があった。
【００１６】
【実施例】
本願発明等が実際に、新規に設計したゴルフクラブを評価するため、スウィングロボットのアームにゴルフクラブを装着し、アドレス時にゴルフボールＱをクラブヘッド１のフェース面３の中心Ｐに位置合わせしてスウィングすると、殆どゴルフボールＱは真っ直ぐに飛ばないことが多いことが判った。
【００１７】
そこで、本願発明者等は、上記のような現象を解決すべく、種々の検討や実験を行った結果、ゴルフボールＱが真っ直ぐに飛ばない原因の一つとして、上述したトウダウン現象であることの知見を得た。
以下、添付図面に基づき、この発明の実施形態を説明する。
図１は、この発明を実施したウッドゴルフクラブセット（この実施形態では、番手＃１〜番手＃５を図示してあるが、番手＃１〜番手＃７の場合もある）の構成図を示し、番手＃１はドライバー，番手＃２はブラッシー，番手＃３はスプーン，番手＃４はバッフィー，番手＃５はクリークと一般に呼称されている。
【００１８】
上記ウッドゴルフクラブのクラブヘッド１１は、ロフト角α1 〜α5 がそれぞれ異なり、番手＃１のドライバーのロフト角α1 は一般に１０°〜１２°、番手＃２のブラッシーのロフト角α2 は一般に１３°〜１５°、番手＃３のスプーンのロフト角α3 は一般に１６°〜１８°、番手＃４のバッフィーのロフト角α4 は一般に１９°〜２１°、番手＃５のクリークのロフト角α5 は一般に２２°〜２４°に設定されて、順次ボールを上げやすく設計されている。
【００１９】
ゴルフクラブシャフト１２の一部には、トウダウン量（δ）mmに相当する識別記号Ｐが表示してあり、ウッドゴルフクラブセットとして、全て統一したトウダウン量（δ）mmの表示をすることが好ましい。
上記ウッドゴルフクラブセットでは、ゴルフクラブセットを構成する異種クラブ番手間のゴルフクラブのトウダウン量比を略一定に設定することで、ゴルファーが各クラブをスウィングする際に、異番手間の違和感が小さく、しかもスタンスを同じにしてスウィングすることが出来、常に安定した方向性を常に得ることが出来るものである。
【００２０】
トウダウン量比λijとしては、０．９〜１．１に設定するのが好ましい。
以下の表１は、ウッドゴルフクラブセットの実施例１，２と比較例１，２を示し、ロボット試打試験による方向性のバラツキを表２に示す。
【００２１】
【表１】
0004043071.tif 000003
【００２２】
【表２】
0004043071.tif 000004
【００２３】
以上の表１及び表２から明らかなように、同一のトウダウン量のウッドゴルフクラブセットを所有していることで、ゴルファーが各番手のクラブをスウィングする際に、異番手間の違和感が小さく、しかもスタンスを同じにしてスウィングすることが可能となり、方向性を重視した理想的な弾道を常に得ることが出来るものである。
【００２４】
【発明の効果】
この発明は、上記のように複数本のウッドゴルフクラブからなるセットにおいて、複数本のウッドゴルフクラブの各番手間のトウダウン量比を、ゴルファーの回転角速度と腕の長さを一定とする条件下で、０．９〜１．１に設定したので、ゴルファーがウッドゴルフクラブをスウィングする場合に、常に一定のトウダウン量のウッドゴルフクラブを所有でき、この結果、ゴルフクラブをスウィングする際にも番手間の違和感が小さく、しかも番手違いのウッドゴルフクラブであってもスタンスを同じにしてスウィングすることが可能となり、安定した方向性を常に得ることが出来る効果がある。
【図面の簡単な説明】
【図１】この発明を実施したウッドゴルフクラブセットの構成図である。
【図２】ウッドゴルフクラブにおけるトウダウン量の説明図である。
【符号の説明】
１１  ウッドゴルフクラブ            １２  クラブシャフト
α1 〜α5   ロフト角度                Ｐ  識別記号
【図１】
0004043071.tif 000005
【図２】
0004043071.tif 000006